(57)【要約】【課題】  バットスプリングの付勢力を熟練性を要することなく容易に調整できることで、良好な連打性およびタッチ感の双方が容易に得られるアップライトピアノのアクションを提供する。【解決手段】  アップライトピアノのアクション１であって、ハンマー３１が立設されたバット４が、バットフレンジ１２に回動自在に支持され、ジャック３が、鍵の離鍵状態においてバット４に係合し、鍵２２の押鍵に伴い、バット４を突き上げることでバット４とハンマー３１を後方に回動させる。また、バットスプリング１４が、バット４の背面に対向するように上下方向に延び、上端部および下端部の複数の被係止部１４ｄ〜１４ｆの１つが、バット４およびバットフレンジ１２に対してそれぞれ係止され、複数の被係止部１４ｄ〜１４ｆの１つが係止されたときと、他の１つが係止されたときでは、互いに異なるたわみ状態でたわむことで、バット４を互いに異なる付勢力で前方に付勢する。【選択図】  図２
2007155964.tif 000002
【特許請求の範囲】
【請求項１】
鍵の押鍵に伴って作動し、ハンマーを後方に回動させることにより打弦を行わせるアップライトピアノのアクションであって、
バットフレンジと、
当該バットフレンジに回動自在に支持され、前記ハンマーが立設されたバットと、
前記鍵の離鍵状態において前記バットに係合し、前記鍵の押鍵に伴い、前記バットを突き上げることによって当該バットおよび前記ハンマーを後方に回動させるとともに、当該回動の途中で、前記バットから離脱するジャックと、
前記バットの背面に対向するように上下方向に延び、下端部に複数の被係止部を有し、上端部および前記複数の被係止部の１つが、前記バットおよび前記バットフレンジに対してそれぞれ係止され、当該バットフレンジに対して、前記複数の被係止部の１つが係止されたときと、他の１つが係止されたときでは、互いに異なるたわみ状態でたわむことによって、前記バットを互いに異なる付勢力で前方に付勢するバットスプリングと、
を備えることを特徴とするアップライトピアノのアクション。
【発明の詳細な説明】
【技術分野】
【０００１】
本発明は、鍵の押鍵に伴って作動し、ハンマーを回動させることにより打弦を行わせるアップライトピアノのアクションに関する。
【背景技術】
【０００２】
従来のアップライトピアノのアクションとして、例えば特許文献１に開示されたものが知られている。このアクションは、一般的なものであり、バットフレンジに回動自在に取り付けられ、ハンマーが立設されたバットと、鍵の離鍵状態においてバットの下端部に係合するジャックと、バットに設けられたバットスプリングとを有している。このバットスプリングは、ねじりコイルばねで構成された一般的なものであり、バットの背面に対向するように上下方向に延び、上端部および下端部が、バットおよびバットフレンジに対してそれぞれ係止されている。以上の構成により、バットスプリングは、バットとバットフレンジの間にたわんだ状態で取り付けられており、それにより、バットを復帰方向に常に付勢している。
【０００３】
このような構成のアクションでは、鍵が押鍵されると、ジャックがバットを突き上げ、それにより、バットおよびハンマーは、バットスプリングの付勢力に抗しながら、バットフレンジを支点として後方に回動する。この回動の途中、ジャックはバットから離脱する。また、このジャックの離脱後、ハンマーは、慣性でそのまま回動し、後方に張られた弦を打弦することによって、ピアノ音を発生させる。さらに、この打弦後、ハンマーは、バットスプリングの付勢力によって、バットとともに復帰回動し、また、ジャックは、バットに係合し、ハンマーの突き上げが可能な状態に戻る。
【０００４】
上述したようなアクションでは、トリルを行うときのように同じ鍵を速く連打するのに応じてハンマーに打弦を確実に行わせ、良好な連打性を得るためには、ハンマーを打弦後に速やかに復帰回動させ、ジャックによって突き上げることができるように、バットスプリングの付勢力を大きめに設定することが好ましい。このような設定は、ハンマーが打弦後に戻らなくなるスティックの発生を回避する上でも好ましい。
【０００５】
一方、前述したように、バットスプリングの付勢力は、バットを復帰方向に常に付勢するように作用するため、押鍵時に鍵に反力として常に作用する。このため、バットスプリングの付勢力が大きすぎる場合には、鍵の静的荷重が大きくなり、タッチ重さが過大になるとともに、ばねを変形させるときに得られるような「ばねっぽい」タッチ感になり、タッチ感を悪化させてしまう。以上から明らかなように、良好な連打性およびタッチ感を両立させるためには、バットスプリングの付勢力を適度な大きさに設定する必要がある。
【０００６】
また、上述した連打性やタッチ重さは、ハンマーの重量やバットの回動抵抗などに応じても変化する。さらに、前述したようなアクションでは、量産によるバットフレンジコードの長さのばらつきや量産によるバットスプリングの個体差などによって、所定のバットスプリングの付勢力が得られない場合がある。このため、良好な連打性およびタッチ感を得るために、バットスプリングの付勢力を調整することが必要になる。
【０００７】
例えば、このような調整を、バットスプリングの曲げ具合を調整することによって行うことが考えられる。しかし、その場合には、曲げ具合の調整を目分量や勘にたよって行わなければならないため、熟練性を要するとともに、熟練性を有する場合でも、適度なバットスプリングの付勢力が得られるまでに、何度も試行を繰り返すことが必要となり、その調整作業が非常に煩雑である。
【０００８】
本発明は、以上のような課題を解決するためになされたものであり、バットスプリングの付勢力を熟練性を要することなく容易に調整でき、それにより、良好な連打性およびタッチ感の双方を容易に得ることができるアップライトピアノのアクションを提供することを目的とする。
【０００９】
【特許文献１】特開平６−２７９３４号公報
【発明の開示】
【課題を解決するための手段】
【００１０】
上記の目的を達成するため、請求項１に係る発明は、鍵の押鍵に伴って作動し、ハンマーを後方に回動させることにより打弦を行わせるアップライトピアノのアクションであって、バットフレンジと、バットフレンジに回動自在に支持され、ハンマーが立設されたバットと、鍵の離鍵状態においてバットに係合し、鍵の押鍵に伴い、バットを突き上げることによってバットおよびハンマーを後方に回動させるとともに、当該回動の途中で、バットから離脱するジャックと、バットの背面に対向するように上下方向に延び、下端部に複数の被係止部を有し、上端部および複数の被係止部の１つが、バットおよびバットフレンジに対してそれぞれ係止され、バットフレンジに対して、複数の被係止部の１つが係止されたときと、他の１つが係止されたときでは、互いに異なるたわみ状態でたわむことによって、バットを互いに異なる付勢力で前方に付勢するバットスプリングと、を備えることを特徴とする。
【００１１】
このアップライトピアノのアクションによれば、鍵の離鍵状態では、ジャックがバットに係合しており、この状態から鍵が押鍵されると、ジャックはバットを突き上げ、それにより、バットは、これに立設されたハンマーとともに、バットフレンジを支点として後方に回動する。この回動の途中、ジャックがバットから離脱する。また、このジャックの離脱後、ハンマーは、慣性でそのまま回動し、弦を打弦することによって、ピアノ音を発生させる。
【００１２】
さらに、バットの背面には、これに対向するようにバットスプリングが上下方向に延びており、その上端部がバットに係止され、下端部に設けられた複数の被係止部の１つがバットフレンジに対して係止されている。これにより、バットスプリングは、バットとバットフレンジとの間にたわんだ状態で設けられることによって、バットを前方に付勢しており、この付勢によって、ハンマーは、打弦後、前方の元の位置に向かって復帰回動する。
【００１３】
また、バットスプリングは、バットフレンジに対して、バットスプリングの複数の被係止部の１つが係止されたときと、他の１つが係止されたときでは、互いに異なるたわみ状態でたわむことによって、バットを互いに異なる付勢力で付勢する。したがって、バットフレンジに係止する被係止部を変更することによって、バットスプリングの付勢力を調整することができる。このように、バットスプリングの付勢力の調整を、複数の被係止部の中から１つの被係止部を選択するだけで行えるので、バットスプリングの曲げ具合を調整する場合と異なり、熟練性を要することなく容易に行うことができ、したがって、良好な連打性およびタッチ感の双方を容易に得ることができる。
【発明を実施するための最良の形態】
【００１４】
以下、図１〜図５を参照しながら、本発明の好ましい実施形態について説明する。図１は、本実施形態によるアップライトピアノのアクション１を、鍵盤２１およびハンマー３１などを、離鍵状態において示している。なお、以下の説明では、演奏者側から見て手前側を「前」、奥側を「後」として説明する。また、同図を含む実施形態を説明するための図では、便宜上、ハッチングを省略するものとする。鍵盤２１は、左右方向（図１の奥行き方向）に並んだ多数の鍵２２（１つのみ図示）によって構成されている。各鍵２２は、筬２３に立設されたバランスピン２３ａに、回動自在に支持されている。
【００１５】
ハンマー３１は、鍵２２ごとに設けられており（１つのみ図示）、各ハンマー３１は、ハンマーシャンク３２およびハンマーヘッド３３を有している。ハンマーシャンク３２は、断面円形の細長い棒状に形成され、アクション１の後述するバット４の上面に立設されており、上下方向に延びている。ハンマーヘッド３３は、ハンマーウッド３３ａおよびこれに巻かれたハンマーフェルト３３ｂなどで構成されており、ハンマーシャンク３２の上端部に設けられていて、離鍵状態では、後方に鉛直に張られた弦Ｓに対向している。
【００１６】
アクション１は、鍵盤２１の後端部の上方において、筬２３の左右端部にそれぞれ設けられたブラケット（図示せず）に取り付けられ、左右のブラケットの間に配置されている。また、アクション１は、鍵２２ごとに設けられたウィッペン２、ジャック３およびバット４を有している（各１つのみ図示）。左右のブラケットの間には、センターレール４１およびハンマーレール４２が渡されている。
【００１７】
ウィッペン２は、例えば合成樹脂や木材によって所定の形状に形成されており、その後端部において、センターレール４１の下端部に固定されたウィッペンフレンジ５に、ピン状の支点２ａを介して回動自在に支持されている。ウィッペン２の前部には、下方に突出するヒール部２ｂが設けられており、ウィッペン２は、このヒール部２ｂを介して、対応する鍵２２の上面後端部に設けられたキャプスタンボタン２２ａに載置されている。ウィッペン２の上面前端部には、バックチェックワイヤ６ａが立設されており、このバックチェックワイヤ６ａの先端部に、バックチェック６が取り付けられている。また、ウィッペン２の上面のウィッペンフレンジ５よりも後ろ側の部分には、後述するダンパー４５を駆動するためのスプーン７が立設されている。
【００１８】
ジャック３は、例えば合成樹脂で構成されており、射出成形によって一体成形されている。ジャック３は、前後方向に延びる基部３ａと、基部３ａの後端部から上方に延びる突上部３ｂを有しており、基部３ａと突上部３ｂとの角部において、ウィッペン２の中央部に、ピン状の支点３ｃを介して回動自在に支持されている。ジャック３の基部３ａとウィッペン２の間には、離鍵時にジャック３を復帰回動させるためのジャックスプリング８が設けられている。また、基部３ａの上方には、レギュレティングボタン９が鍵２２ごとに設けられている（１つのみ図示）。このレギュレティングボタン９は、レギュレティングブラケット１０やレギュレティングレール１１を介して、センターレール４１に固定されている。
【００１９】
バット４は、合成樹脂により所定の形状に形成されていて、その背面４ｂ側の下端部において、センターレール４１の上端部に固定されたバットフレンジ１２に、ピン状の支点４ａを介して回動自在に支持されており、それにより、ハンマー３１は回動自在になっている。バット４の前面には、キャッチャー１３が取り付けられており、キャッチャー１３は、前方に延び、離鍵状態では、前述したバックチェック６の後方に位置し、これと対向している。また、バット４の背面４ｂの上端部は後方に若干突出し、その左右方向の中央に、溝４ｃが形成されており、この溝４ｃには、バットスプリング１４が取り付けられている（図３参照）。
【００２０】
図２に示すように、このバットスプリング１４は、ねじりコイルばねで構成されており、コイル部１４ａ、第１腕部１４ｂおよび第２腕部１４ｃを有している。コイル部１４ａは、バット４の溝４ｃに収容された状態で、バットスプリングコード１５に係止されており、第１腕部１４ｂは、コイル部１４ａの一端から下方に延び、溝４ｃの底面に係合している。第２腕部１４ｃは、コイル部１４ａの他端から、バット４の背面４ｂに対向するように下方に延びており、その下端部に、上側から順に、第１〜第３のフック部１４ｄ，１４ｅ，１４ｆ（被係止部）が形成されている。
【００２１】
第１〜第３のフック部１４ｄ〜１４ｆはいずれも、バット４側に凸に湾曲した状態で突出しており、それらの突出量は、それぞれの所定の大きさに設定されており、本実施形態では、第１フック部１４ｄの突出量が最も大きい。これらの第１〜第３のフック部１４ｄ〜１４ｆは、それらのいずれか１つが、バットフレンジ１２に取り付けられたバットフレンジコード１６に選択的に引っ掛けられ、係止される。なお、図１〜図３は、第１フック部１４ｄをバットフレンジコード１６に係止した状態を示している（以下、この係止状態を「第１係止状態」という）。以上の構成により、バットスプリング１４は、バット４とバットフレンジ１２の間にたわんだ状態で取り付けられており、それにより、バット４を前方に常に付勢し、ハンマー３１を図１の時計回りに付勢している。
【００２２】
また、離鍵状態での例えば第２腕部１４ｃの所定位置Ａにおける接線とバット４の背面４ｂとのなす角（以下「たわみ角」という）θは、図２に示すように、第１係止状態では、第１所定角度θ１になっている。さらに、図４および図５に示すように、第２および第３のフック部１４ｅ，１４ｆをバットフレンジコード１６に係止したとき（以下、これらの係止状態をそれぞれ「第２係止状態」「第３係止状態」という）には、たわみ角θは、第２および第３所定角度θ２，θ３にそれぞれなっている。これらの第１〜第３所定角度θ１〜θ３は、θ１＞θ２＞θ３の大小関係になっている。
【００２３】
すなわち、バットスプリング１４のたわみは、第１係止状態で最小、第３係止状態で最大になり、それに応じて、バットスプリング１４の付勢力は、第１係止状態で最小、第３係止状態で最大になる。したがって、バットフレンジコード１６に係止する第１〜第３のフック部１４ｄ〜１４ｆを変更することによって、バットスプリング１４の付勢力を調整することができる。
【００２４】
また、θ１−θ２＝α、θ２−θ３＝βとした場合、これらの所定値α，βによって、バットスプリング１４の付勢力の調整の仕方を様々に変更することができる。例えば、所定値α，βを小さめに設定することにより、第１〜第３所定角度θ１〜θ３の間の差を小さくすることによって、バットスプリング１４の付勢力をきめ細かく調整することができる。あるいは、所定値α，βをより大きな値に設定することによって、バットスプリング１４の付勢力をより大きな調整幅で調整することができる。
【００２５】
以上の構成により、離鍵状態では、ジャック３の突上部３ｂがバット４の下面の前端部で構成される被突上部４ｄに下方から係合することによって、ハンマー３１が静止した状態になっている。
【００２６】
アクション１の後方には、ダンパー４５が鍵２２ごとに設けられている（１つのみ図示）。ダンパー４５は、ダンパーフレンジ４５ａを介してセンターレール４１に回動自在に取り付けられたダンパーレバー４５ｂと、ダンパーレバー４５ｂの上側にダンパーワイヤ４５ｃを介して取り付けられたダンパーヘッド４５ｄと、ダンパーヘッド４５ｄを弦Ｓ側に付勢するダンパーレバースプリング４５ｅなどで構成されている。このダンパー４５は、離鍵時に、ダンパーレバースプリング４５ｅの付勢力により、ダンパーヘッド４５ｄが弦Ｓを押圧することによって、止音動作を行う。
【００２７】
次に、上述したアクション１などの押鍵の開始から離鍵の終了までの一連の動作について説明する。演奏者により離鍵状態の鍵２２が押鍵されると、鍵２２は、バランスピン２３ａを中心として図１の時計回りに回動し、その後端部に載置されたウィッペン２は、鍵２２により突き上げられることによって、支点２ａを中心として上方（反時計回り）に回動する。このウィッペン２の回動に伴い、ジャック３は、ウィッペン２と一緒に上方に移動し、突上部３ｂを介してバット４を突き上げる。これにより、バット４およびハンマー３１は、バットスプリング１４の付勢力に抗しながら、支点４ａを中心として、後方の弦Ｓに向かって反時計回りに回動する。
【００２８】
そして、ウィッペン２が所定角度、回動したときに、ジャック３の基部３ａがレギュレティングボタン９に当接し、上方への移動が規制されることにより、ジャック３がウィッペン２に対して時計回りに回動する。
【００２９】
押鍵がさらに進むと、ジャック３がウィッペン２に対してさらに回動することによって、突上部３ｂがバット４から前方に外れ、ジャック３がハンマー３１から離脱する（レットオフ）。これにより、鍵２２のタッチ重さからバット４およびハンマー３１の重量分が失われることによって、演奏者にレットオフ感が付与される。
【００３０】
また、このジャック３の離脱後、ハンマー３１は、慣性で回動し、弦Ｓを打弦することによって、ピアノ音を発生させる。その後、ハンマー３１は、バットスプリング１４の付勢力によって時計回りに復帰回動し、キャッチャー１３がバックチェック６に係止されることによって、一旦、停止する。
【００３１】
そして、押鍵が終了し、鍵２２が離鍵されるのに伴い、バックチェック６によるハンマー３１の係止状態が解除され、それにより、ハンマー３１は復帰回動を再開する。また、これと並行して、鍵２２およびアクション１なども復帰回動することによって、図１に示す離鍵状態に復帰し、押鍵の開始から離鍵の終了までの一連の動作が終了する。
【００３２】
以上のように、本実施形態によれば、バットフレンジコード１６に係止する第１〜第３のフック部１４ｄ〜１４ｆを変更することによって、バットスプリング１４の付勢力を調整できるので、その調整を、バットスプリングの曲げ具合を調整する場合と異なり、熟練性を要することなく容易に行うことができる。したがって、良好な連打性およびタッチ感の双方を容易に得ることができる。
【００３３】
また、バットスプリング１４は、通常のバットスプリングの一部に曲げ加工などにより第１〜第３のフック部１４ｄ〜１４ｆを一体に形成するだけで構成でき、バットスプリング１４の付勢力を調整するための特別な別個の部品を新たに付加する必要がないので、アクション１の大型化や製造コストの増大を招くことがない。
【００３４】
さらに、一般に、豊かな音楽表現のためには、ジャック３がハンマー３１から離脱する、いわゆるレットオフのタイミングを正確に把握し、それに応じて、ハンマー３１の打弦速度を細かくコントロールすることが重要である。レットオフのタイミングを明確にするためには、レットオフ前後のタッチ重さの差（レットオフ荷重）を大きめに設定することが好ましい。前述したように、バットスプリング１４の付勢力は、バット４を復帰方向に付勢するため、押鍵時のジャック３が離脱するまでの間、鍵２２に反力として作用することから、レットオフ荷重に影響を及ぼす。したがって、バットスプリング１４の付勢力の調整を、レットオフ荷重の調整に用いてもよい。また、バットスプリング１４の付勢力の調整を、ハンマー３１が打弦後に戻らなくなるスティックの発生を回避するように行ってもよい。
【００３５】
図９は、上述した本実施形態のアクション１を用いたときの鍵２２の押下量（以下「鍵押下量」という）とタッチ重さとの関係を実験により求めた結果を示しており、具体的には、前述した第１係止状態および第３係止状態での鍵押下量とタッチ重さとの関係を、実線および二点鎖線でそれぞれ示している。また、図９の点Ａは、押鍵の開始のタイミングを、点Ｂは、ジャック３がレギュレティングボタン９に当接するタイミングを、点Ｃは、ジャック３がハンマー３１から外れるタイミングを、点Ｄは、ジャック３がハンマー３１から外れた後、鍵２２の前端部が筬２３のフロントレール（図示せず）に当接するタイミングを、それぞれ示している。
【００３６】
同図に示すように、第３係止状態では、第１係止状態と比較して、タッチ重さが全体として大きく、特に、第３係止状態でのレットオフ荷重ＬＬ３は、第１係止状態でのレットオフ荷重ＬＬ１の約３倍になっている。このように、バットフレンジコード１６に係止する第１〜第３のフック部１４ｄ〜１４ｆを変更することによって、タッチ重さやレットオフ荷重を調整できることが確認された。
【００３７】
次に、図６〜図８を参照しながら、バットスプリング１４の変形例について説明する。この変形例では、バットスプリング１４の第２腕部１４ｃの下端部は、渦巻状に３回、巻かれており、外側から順に、第１〜第３の巻部１４ｇ，１４ｈ，１４ｉ（被係止部）を有している。これらの第１〜第３の巻部１４ｇ〜１４ｉのうちの１つは、バットフレンジコード１６に係止されるようになっており、具体的には、第１〜第３の巻部１４ｇ〜１４ｉのうちのバットフレンジ１２にそれぞれ最も近い部分が、バットフレンジコード１６に係止される。
【００３８】
この構成により、図６〜図８に示すように、バットスプリング１４のたわみ角θは、第１巻部１４ｇをバットフレンジコード１６に係止したときには、最大の第１所定角度θ１に、第２巻部１４ｈを係止したときには、第２所定角度θ２に、第３巻部１４ｉを係止したときには、最小の第３所定角度θ３になる。したがって、バットフレンジコード１６に係止する第１〜第３の巻部１４ｇ〜１４ｉを変更することによって、バットスプリング１４の付勢力を調整できるので、前述した第１実施形態の効果を同様に得ることができる。
【００３９】
なお、本発明は、説明した実施形態に限定されることなく、種々の態様で実施することができる。例えば、本実施形態では、バットスプリング１４を、ねじりコイルばねで構成したが、その上端部および下端部がバット４およびバットフレンジ１２に対してそれぞれ係止されるとともに、バット４を前方に付勢するものであれば、他の適当なばね、例えば板ばねで構成してもよい。また、本実施形態では、バットスプリング１４の被係止部の数が３であるが、その数は、複数であれば任意であり、その数が多いほど、バットスプリング１４の付勢力をより多段階で調整することができる。その他、本発明の趣旨の範囲内で、細部の構成を適宜、変更することが可能である。
【図面の簡単な説明】
【００４０】
【図１】本実施形態によるアクションおよびハンマーなどを、離鍵状態において示す側断面図である。
【図２】図１のバットなどの拡大側面図である。
【図３】図１のバットなどの拡大背面図である。
【図４】バットスプリングが図２と異なる係止状態にあるときの図２と同様の拡大側面図である。
【図５】バットスプリングが図２および図４と異なる係止状態にあるときの図２と同様の拡大側面図である。
【図６】変形例によるバットスプリングなどを示す図２と同様の拡大側面図である。
【図７】バットスプリングが図６と異なる係止状態にあるときの図６と同様の拡大側面図である。
【図８】バットスプリングが図６および図７と異なる係止状態にあるときの図６と同様の拡大側面図である。
【図９】図１のアクションを用いたときの鍵押下量とタッチ重さとの関係を、バットスプリングが互いに異なる２つの係止状態にあるときについて示す図である。
【符号の説明】
【００４１】
１  アクション
３  ジャック
４  バット
１２  バットフレンジ
１４  バットスプリング
１４ａ  コイル部（上端部）
１４ｄ  第１フック部（被係止部）
１４ｅ  第２フック部（被係止部）
１４ｆ  第３フック部（被係止部）
１４ｇ  第１巻部（被係止部）
１４ｈ  第２巻部（被係止部）
１４ｉ  第３巻部（被係止部）
２２  鍵
３１  ハンマー
Ｓ  弦
【図１】
2007155964.tif 000003
【図２】
2007155964.tif 000004
【図３】
2007155964.tif 000005
【図４】
2007155964.tif 000006
【図５】
2007155964.tif 000007
【図６】
2007155964.tif 000008
【図７】
2007155964.tif 000009
【図８】
2007155964.tif 000010
【図９】
2007155964.tif 000011